(57)【要約】【課題】排水路の一部を形成する側面カバーを取り外すことで外部から簡単に排水路の中を清掃でき、また、排水路を通る水が本体ケースと側面カバーとの隙間から外に漏れることのない手乾燥装置を提供する。【解決手段】手乾燥室２の底面２ｃに設けられ、手乾燥室２内に付着した水を排水する排水口２１と、排水口２１の下方に設けられ、排水口２１からの水を下方へ流下させる排水路２３と、排水路２３の下方に設けられ、排水路２３からの水を貯留するタンクとを備え、排水路２３は、壁面２５ａと、その壁面２５ａと対向し、本体ケース１の側面に取り外し自在に設けられた側面カバー２４とで構成され、壁面２５ａに下方に向かうに連れ側面カバー２４に近づく傾斜部２５ｂを有し、排水口２１は、排水路２３の傾斜部２５ｂの上方に位置するように、排水路２３の壁面２５ａ側に配置されている。【選択図】図４
2014236902.tif 000002
【特許請求の範囲】
【請求項１】
本体ケースに設けられ、外部から手の出し入れが自在な手乾燥室と、
前記本体ケース内の前記手乾燥室の下方に設けられ、外気を吸引して空気流を生成する送風装置と、
前記手乾燥室に設けられ、前記送風装置からの空気流を当該手乾燥室内に向けて噴出するエアーノズルと、
前記手乾燥室の底面に設けられ、前記手乾燥室内に付着した水を排水する排水口と、
前記排水口の下方に設けられ、前記排水口からの水を下方へ流下させる排水路と、
前記排水路の下方に設けられ、前記排水路からの水を貯留するタンクとを備え、
前記排水路は、壁面と、該壁面と対向し、前記本体ケースの側面に取り外し自在に設けられた側面カバーとで構成され、前記壁面に下方に向かうに連れ前記側面カバーに近づく傾斜部を有し、
前記排水口は、前記排水路の傾斜部の上方に位置するように、当該排水路の壁面側に配置されていることを特徴とする手乾燥装置。
【請求項２】
前記傾斜部は、前記排水路の壁面の一部に設けられていることを特徴とする請求項１記載の手乾燥装置。
【請求項３】
前記傾斜部は、前記排水路の壁面の上端から下方の中央部までに設けられていることを特徴とする請求項１記載の手乾燥装置。
【請求項４】
前記傾斜部及び当該傾斜部の上部の壁面の左右方向の幅が、前記傾斜部より下方の壁面の幅よりも広くなっていることを特徴とする請求項１又は２記載の手乾燥装置。
【請求項５】
前記傾斜部の左右方向の幅が、当該傾斜部より下方の壁面の幅よりも広くなっていることを特徴とする請求項１又は３記載の手乾燥装置。
【請求項６】
本体ケースに設けられ、外部から手の出し入れが自在な手乾燥室と、
前記本体ケース内の前記手乾燥室の下方に設けられ、外気を吸引して空気流を生成する送風装置と、
前記手乾燥室に設けられ、前記送風装置からの空気流を当該手乾燥室内に向けて噴出するエアーノズルと、
前記手乾燥室の底面に設けられ、前記手乾燥室内に付着した水を排水する排水口と、
前記排水口の下方に設けられ、前記排水口からの水を下方へ流下させる排水路と、
前記排水路の下方に設けられ、前記排水路からの水を貯留するタンクとを備え、
前記排水路は、壁面と、該壁面と対向し、前記本体ケースの側面に取り外し自在に設けられた側面カバーとで構成され、前記壁面が上端から下端に向かうに連れ前記側面カバーに近づくように傾斜し、
前記排水口は、前記排水路の傾斜する壁面の上方に位置するように、当該排水路の壁面側に配置されていることを特徴とする手乾燥装置。
【請求項７】
前記排水路の壁面のうち上部の壁面の左右方向の幅が、その部分以外の壁面の幅よりも広くなっていることを特徴とする請求項６記載の手乾燥装置。
【請求項８】
前記排水口の下端部は、前記側面カバー側の部分が前記排水路の壁面側に斜めに切断されていることを特徴とする請求項１〜７の何れか一項に記載の手乾燥装置。
【請求項９】
少なくとも前記送風装置の運転を操作する運転操作部を備え、
前記運転操作部は、前記側面カバーに覆われていることを特徴とする請求項１〜８の何れか一項に記載の手乾燥装置。
【発明の詳細な説明】
【技術分野】
【０００１】
本発明は、手に付着した水を高圧空気流で吹き飛ばして乾燥させる手乾燥装置に係わり、特に高圧空気流で吹き飛ばされた水を排水する排水路の構造に関するものである。
【背景技術】
【０００２】
従来の手乾燥装置は、電動送風機が内蔵された本体ケースと、本体ケースの上部に手の出し入れが自在の手乾燥室と、電動送風機から送風される空気流を手乾燥室内に噴出するエアーノズルと、手乾燥室内の水を排出する排水口と、排水口からの水を下方へ流す排水路と、排水路からの水を貯留するタンクとを備えている（例えば、特許文献１参照）。
この手乾燥装置の排水路の一部は、取り外しが自在の側面カバーで形成され、側面カバーを取り外すことで排水路内を外部に露出させることができ、外部から排水路の中を清掃することができる。
【先行技術文献】
【特許文献】
【０００３】
【特許文献１】国際公開第２００５／１１０１７６号（要約）
【発明の概要】
【発明が解決しようとする課題】
【０００４】
特許文献１に記載の手乾燥装置では、排水口の一部が排水路の一部である側面カバーにより形成されているので、手乾燥室内に付着した水がそのまま側面カバーを伝わって排水路を流下したり、手乾燥室内の風の影響で排水口に集められた水が側面カバーまで押し寄せられることなどで、側面カバーを伝わって排水路を流下してしまう。そのため、排水路を通る水が側面カバーと本体ケースとの隙間から外部へ漏れ出てしまうという課題があった。
また、排水路が真っ直ぐ鉛直方向に延びて形成されているので、手乾燥装置が正確に鉛直方に設置されていない場合、排水路を通る水が側面カバー側に徐々に寄って側面カバーを伝わって流下する。このような場合も、排水路を通る水が本体ケースと側面カバーとの隙間から外部へ漏れ出てしまうという課題があった。
【０００５】
本発明は、前記のような課題を解決するためになされたもので、排水路の一部を形成する側面カバーを取り外すことで外部から簡単に排水路の中を清掃でき、また、排水路を通る水が本体ケースと側面カバーとの隙間から外に漏れることのない手乾燥装置を得ることを目的とする。
【課題を解決するための手段】
【０００６】
本発明に係る手乾燥装置は、本体ケースに設けられ、外部から手の出し入れが自在な手乾燥室と、本体ケース内の手乾燥室の下方に設けられ、外気を吸引して空気流を生成する送風装置と、手乾燥室に設けられ、送風装置からの空気流を手乾燥室内に向けて噴出するエアーノズルと、手乾燥室の底面に設けられ、手乾燥室内に付着した水を排水する排水口と、排水口の下方に設けられ、排水口からの水を下方へ流下させる排水路と、排水路の下方に設けられ、排水路からの水を貯留するタンクとを備え、排水路は、壁面と、その壁面と対向し、本体ケースの側面に取り外し自在に設けられた側面カバーとで構成され、壁面に下方に向かうに連れ側面カバーに近づく傾斜部を有し、排水口は、排水路の傾斜部の上方に位置するように、排水路の壁面側に配置されている。
【発明の効果】
【０００７】
本発明によれば、側面カバーと対向する壁面に下方に向かうに連れ側面カバーに近づく傾斜部を設け、排水口を、排水路の傾斜部の上方に位置するように、排水路の壁面側に配置している。この構成により、排水口から流下する水が排水路の壁面を伝わって流れるので、排水口からの水が側面カバー側を伝わって流れるようなことがなくなり、このため、本体ケースを鉛直方向に対し斜めになっていても、排水路内を流れる水が本体ケースと側面カバーとの隙間から外部へ漏れるということがない。また、排水路を本体ケースの側面に取り外し自在に設けられた側面カバーとで構成しているので、その側面カバーを取り外すことで、容易に排水路内を清掃できる。
【図面の簡単な説明】
【０００８】
【図１】実施の形態に係る手乾燥装置を左側面から見て示す縦断面図。
【図２】図１の手乾燥装置を左側面から見て示す側面図。
【図３】図２の手乾燥装置に設けられた側面カバーを取り外して示す側面図。
【図４】図１の手乾燥装置を正面から見て示す部分断面図。
【図５】図２に示す矢視Ａ−Ａの断面図。
【図６】図４に示す矢視Ｂ−Ｂの断面図。
【図７】実施の形態に係る手乾燥装置の変形例を示す部分断面図。
【発明を実施するための形態】
【０００９】
図１は実施の形態に係る手乾燥装置を左側面から見て示す縦断面図、図２は図１の手乾燥装置を左側面から見て示す側面図、図３は図２の手乾燥装置に設けられた側面カバーを取り外して示す側面図である。
実施の形態に係る手乾燥装置の外郭は、縦方向に長い直方体形状の本体ケース１によって構成されている。この本体ケース１には、本体ケース１の上面の中央部及び左右方向の側面上部が開口された略Ｕ字形状の手乾燥室２が設けられている。この手乾燥室２は、本体ケース１を側面から見て、手前と奧に互いに対向する壁面２ａ、２ｂと、壁面２ａ、２ｂの下端に設けられた底面２ｃとで構成されている。その壁面２ａ、２ｂは、下方へ向かうに従って手前から奧側に傾斜している。
【００１０】
手乾燥室２の壁面２ａ、２ｂには、シリコン系もしくはフッ素系等の撥水性コーティング、又は酸化チタン等の親水性を有するコーティング、又は抗菌剤が含浸されており、表面への汚れの付着の軽減や細菌の繁殖の低減が図られている。各壁面２ａ、２ｂの上部には、高速空気を噴出するエアーノズル３ａ、３ｂが設けられている。エアーノズル３ａ、３ｂは、斜め下方に向けられており、壁面２ａ、２ｂの左右方向に直線状に延びている。
【００１１】
壁面２ｂのエアーノズル３ｂよりも下の部分には、赤外線を発光する発光部４ａ及び赤外線を受光する受光部４ｃが設けられ、壁面２ａの底面２ｃ近傍の部分には、前記と同様に、赤外線を発光する発光部４ｂが設けられている。発光部４ａと受光部４ｃとで反射式センサーが構成されており、発光部４ａから発光された赤外線が手に反射して受光部４ｃに受光されることで、手乾燥室２内に挿入された手を検知する。また、発光部４ｂと受光部４ｃとで透過式センサーが構成されており、発光部４ｂから発光された赤外線が手乾燥室２内に挿入された手で遮られることで、手乾燥室２内に手が挿入されていることを検知する。
【００１２】
本体ケース１内の手乾燥室２の下方には、羽根とモーターで構成された高圧空気流発生装置１０が設けられている。また、手乾燥室２の底面２ｃには、図２及び図３に示すように、手乾燥室２内の水を排水する排水口２１が設けられている。その排水口２１は、手乾燥室２の底面２ｃと一体に形成され、その排水口２１の下端部２２が排水路２３内に挿入されている。排水路２３の下端部には、排水路２３内を通る水をタンク２７内に流出する流出口２６が設けられている。タンク２７は、本体ケース１の底部に取り外し自在に取り付けられている。
【００１３】
高圧空気流発生装置１０の排気側は、本体ケース１の内部に設けられた排気チャンバー１１の中に設けられている。排気チャンバー１１には、排気チャンバー１１内の空気を排出する排気口１２が設けられている。排気口１２には、手乾燥室２の手前側に設けられた前排気ダクト１３と、手乾燥室２の奧側に設けられた後排気ダクト１４とが連結されている。前排気ダクト１３はエアーノズル３ａに連通し、後排気ダクト１４はエアーノズル３ｂに連通している。
【００１４】
また、高圧空気流発生装置１０の吸気側は、吸気ダクト１５の上端部と連結されている。吸気ダクト１５の下端部は、本体ケース１の底部に設けられた給気口１７と連結されている。吸気ダクト１５の内壁には、高圧空気流発生装置１０の運転時に発生する騒音を低減する吸音材１６が貼り付けられている。給気口１７の入口部には、エアーフィルター１８が取り外し自在に設けられている。
【００１５】
本体ケース１を正面から見て、例えば本体ケース１の左側面には側面カバー２４が取り外し自在に取り付けられている。側面カバー２４を本体ケース１から取り外した場合、運転操作部３１を操作可能に露出し、排水路２３内が露出して清掃が可能になる。運転操作部３１は、手乾燥室２の底面よりも下側に位置している。運転操作部３１は、手乾燥装置の電源を入り切りする電源スイッチ３４と、高圧空気流発生装置１０の風量を切り替える風量切替スイッチ３３と、ヒーターの電力を切り替えるヒーター切替スイッチ３２とを備えている。
【００１６】
次に、手乾燥装置の動作について説明する。
使用者が手乾燥装置の正面側に立ち、腕を下方に伸ばした状態で、手乾燥室２内へ左右方向から濡れた手を入れ、手乾燥室２の中で両手を近づけるように中央に寄せると、両腕が手乾燥室２の上部から挿入された状態になる。この時、発光部４ａからの赤外線が手に当たって反射し、受光部４ｃに入射されると共に、発光部４ｂから受光部４ｃへ照射されている赤外線が遮断される。受光部４ｃに入射される赤外線が発光部４ｂから発光部４ａへと切り替わると、高圧空気流発生装置１０が駆動を開始する。
【００１７】
高圧空気流発生装置１０の駆動により、エアーフィルター１８を通って埃が除去された外気が給気口１７から吸い込まれ、吸気ダクト１５を通って高圧空気流発生装置１０の吸込側に吸い込まれる。吸い込まれた空気は、高圧空気流発生装置１０によって高圧空気となる。高圧空気流発生装置１０により高圧化された高圧空気は、高圧空気流発生装置１０の排気側から排気チャンバー１１内に排気され、排気口１２から前排気ダクト１３と後排気ダクト１４とに分流される。
【００１８】
前排気ダクト１３と後排気ダクト１４とに送り込まれた高圧空気は、エアーノズル３ａ、３ｂにより高速空気となり、手乾燥室２内に噴出される。噴出される高速空気は、エアーノズル３ａ、３ｂが手乾燥室２の左右方向に直線状に延びているため、エアーカーテンの状態となり、手乾燥室２内に挿入されている手の甲および掌の両面に当たり、手の表面に付着している水を水滴として吹き飛ばす。
【００１９】
そして、挿入されている手を手乾燥室２内で上方へ引き上げた場合には、エアーカーテン状の高速空気が、挿入されている手首付近から指先に向かって当たり、手全体に付着している水滴が除去され手を乾燥させる。手乾燥室２から手を抜いて、発光部４ｂからの赤外線が受光部４ｃに入射され、発光部４ａからの赤外線が受光部４ｃに入射されなくなると、高圧空気流発生装置１０の駆動が停止する。手乾燥室２内で吹き飛ばされて剥離した手の水滴は、手乾燥室２の壁面２ａ、２ｂに当たって流下し、手乾燥室２の底面２ｃに設けられた排水口２１から排水され、排水路２３を通ってタンク２７に回収される。
【００２０】
次に、前述した排水路２３の構造について、図４〜図６を用いて説明する。
図４は図１の手乾燥装置を正面から見て示す部分断面図、図５は図２に示す矢視Ａ−Ａの断面図、図６は図４に示す矢視Ｂ−Ｂの断面図である。
排水路２３は、本体ケース１の左側面に取り外し自在に取り付けられた側面カバー２４と、排水路２３を上方から見て、略コの字状に形成された縦長の溝部２５とで構成されている。溝部２５の側面カバー２４と対向する壁面２５ａには、途中で側面カバー２４側に傾斜する傾斜部２５ｂが設けられている。この傾斜部２５ｂにより、溝部２５の傾斜部２５ｂよりも上側の壁面２５ａの側面カバー２４からの深さが、傾斜部２５ｂの下側の壁面２５ａよりも深くなっている。また、排水路２３の傾斜部２５ｂ及びその傾斜部２５ｂの上部の壁面２５ａの左右方向の幅が、傾斜部２５ｂより下方の壁面２５ａの幅よりも広くなっている。
【００２１】
側面カバー２４は、図５に示すように、両端部が本体ケース１に嵌合するように構成され、更に、排水路２３の溝部２５内に嵌入する嵌合片２４ａ、２４ｂを有している。また、側面カバー２４の下端部には、図６に示すように、本体ケース１内の下端部に嵌入して側面カバー２４を支持する支持片２４ｃが設けられている。
【００２２】
前述した手乾燥室２の排水口２１は、円筒状に形成され、溝部２５の傾斜部２５ｂ上に位置するように配置されている。この排水口２１の位置により、排水口２１と排水路２３の流出口２６とは、垂直方向からの平面投影視した場合、重ならないようにずれている。排水口２１の下端部２２は、側面カバー２４側の面が下端部２２の先端中央部まで斜めに切断されている。
【００２３】
排水口２１の下端部２２を斜めに切断することにより、手乾燥室２の底面２ｃから排水口２１に流れる水は、下端部２２の長い方の内壁面に導かれ、溝部２５の傾斜部２５ｂ上に落下する。傾斜部２５ｂ上に落下した水は、傾斜部２５ｂから壁面２５ａ上を伝わって下方へ流れ、流出口２６からタンク２７内へと流れ込む。
【００２４】
以上のように実施の形態においては、以下に示す効果が得られている。
（１）排水口２１の下端部２２の側面カバー２４側の面を下端部２２の先端中央部まで斜めに切断しているので、排水口２１を通る水は側面カバー２４から離れた下端部２２の最下点に導かれて排水路２３の傾斜部２５ｂ上に落下する。このため、排水路２３の側面カバー２４と対向する壁面２５ａに集中的に伝わって下方へ流れる。これにより、排水口２１からの水が側面カバー２４を伝わって流れるようなことがなくなり、そのため、排水路２３内を流れる水が本体ケース１と側面カバー２４との隙間から外部へ漏れるということがない。
【００２５】
（２）また一旦、排水路２３の壁面２５ａに流水の経路ができると後から流れてくる水は新たな経路を流れるより既存の経路に流れ易くなる。このため、安定して壁面２５ａを流下させることができ、安定して排水路２３の水が側面カバー２４を伝わって流下することを防止できるとともに、排水路２３に実際に流れる経路が特定されるので、側面カバー２４などの汚れを防止することもできる。
【００２６】
（３）排水路２３の途中には傾斜部２５ｂが設けられているので、排水口２１の下端部２２から滴下した水は必ず排水路２３の傾斜部２５ｂに当って壁面２５ａ上を流下するので、排水口２１からの水が側面カバー２４を伝わるようなことがない。
【００２７】
（４）清掃時に排水口２１から多量の水を流した場合には、下端部２２の側面カバー２４側からも滴下する恐れがあるが、排水口２１の下端部２２が排水路２３の壁面２５ａ側の近くに位置しているので、排水口２１の下端部２２から流出する水は壁面２５ａに沿って流下し、側面カバー２４を伝わって流下するようなことがない。
【００２８】
（５）側面カバー２４を排水口２１の下端部２２から離しているので、エアーノズル３ａ、３ｂからの空気流の影響で、排水口２１の下端部２２から離れた水滴が多少影響されて斜め下方に滴下しても側面カバー２４を伝わって流下するようなことがない。
【００２９】
（６）排水路２３の壁面２５ａの途中に傾斜部２５ｂを設けているので、手乾燥装置の設置が鉛直方向に対し斜めに設置されたとしても、排水路２３を流れる水が側面カバー２４を伝わることを防止できる。
【００３０】
（７）側面カバー２４には水が伝わることがないので、排水路２３内を流れる水が本体ケース１と側面カバー２４との隙間から外に漏れ出すことがなく、そのため、本体ケース１と側面カバー２４との取り付けが簡単な構造で済む。
【００３１】
（８）側面カバー２４で運転操作部３１と排水路２３とをカバーしているので、清掃作業時には必ず電源スイッチ３４の状態を確認することができ、そのため、電源スイッチの切り忘れをして清掃作業をするということがなく、安全面でも向上する。
【００３２】
（９）排水路２３の傾斜部２５ｂ及びその傾斜部２５ｂの上部の壁面２５ａの左右方向の幅が、傾斜部２５ｂより下方の壁面２５ａの幅よりも広くなっているので、排水路２３の溝が深くなっていても幅が広いので溝の奥まで手を入れて簡単に清掃を行うことができる。
【００３３】
なお、実施の形態では、排水路２３の壁面２５ａの一部に傾斜部２５ｂを設けたが、図７に示すように、排水路２３の壁面２８の上端から下方の中央部までを傾斜部２８ａとしてもよい。なお、図７は実施の形態に係る手乾燥装置の変形例を示す部分断面図である。その場合、傾斜部２８ａの左右方向の幅は、その傾斜部２８ａより下方の壁面２８の幅よりも広くなっている。また、排水口２１の下端部２２は、排水路２３の傾斜部２８ａの上方に位置するように、排水路２３の壁面２８側に配置されている。
【００３４】
また、図示していないが、排水路の壁面が上端から下端に向かうに連れ側面カバー２４に近づくように傾斜するようにしてもよい。その場合、排水路の壁面のうち上部の壁面の左右方向の幅が、その部分以外の壁面の幅よりも広くなっている。また、排水口の下端部は、排水路の傾斜する壁面の上方に位置するように、排水路の壁面側に配置されている。
【００３５】
また、実施の形態では、排水口２１の下端部２２と流出口２６との位置がずれるようにしたが、必ずしも流出口２６でなくてもよく、排水路の途中に一部でも完全にずれている箇所があればよい。
【符号の説明】
【００３６】
１  本体ケース、２  手乾燥室、２ａ、２ｂ  壁面、２ｃ  底面、３ａ、３ｂ  エアーノズル、４ａ、４ｂ  発光部、４ｃ  受光部、１０  高圧空気流発生装置、１１  排気チャンバー、１２  排気口、１３  前排気ダクト、１４  後排気ダクト、１５  吸気ダクト、１６  吸音材、１７  吸気口、１８  エアーフィルター、２１  排水口、２２  排水口の下端部、２３  排水路、２４  側面カバー、２４ａ、２４ｂ  嵌合片、２４ｃ  支持片、２５  溝部、２５ａ  壁面、２５ｂ  傾斜部、２６  流出口、２７  タンク、２８  壁面、２８ａ  傾斜部、３１  運転操作部、３２  ヒーター切替スイッチ、３３  風量切替スイッチ、３４  電源スイッチ。
【図１】
2014236902.tif 000003
【図２】
2014236902.tif 000004
【図３】
2014236902.tif 000005
【図４】
2014236902.tif 000006
【図５】
2014236902.tif 000007
【図６】
2014236902.tif 000008
【図７】
2014236902.tif 000009